(57)【要約】【課題】  本発明は、縁取りがされた多色の筆記線を連続的に描くことが可能なマーキングペンを提供することを目的とする。【解決手段】  少なくとも軸筒本体の先端から一部突出して設けられたペン先を有するインキ誘導芯と、軸筒本体の内部に配設された水溶性染料を水に溶解した水溶性インキ貯蔵部、及び該水溶性染料とは異なる色相を呈する油溶性染料を水に難溶又は不溶の有機溶媒に溶解した油溶性インキ貯蔵部を有するマーキングペンであって、該ペン先の先端近傍の半径方向の周縁部には油溶性インキが主に存在し、かつ該周縁部の内側部には水溶性インキが存在することを特徴とするマーキングペン。【選択図】  図１
2005088251.tif 000002
【特許請求の範囲】
【請求項１】
少なくとも軸筒本体の先端から一部突出して設けられたペン先を有するインキ誘導芯と、軸筒本体の内部に配設された水溶性染料を水に溶解した水溶性インキ貯蔵部、及び該水溶性染料とは異なる色相を呈する油溶性染料を水に難溶又は不溶の有機溶媒に溶解した油溶性インキ貯蔵部を有するマーキングペンであって、該ペン先の先端近傍の半径方向の周縁部には油溶性インキが主に存在し、かつ該周縁部の内側部には水溶性インキが存在することを特徴とするマーキングペン。
【請求項２】
インキ貯蔵部が軸筒本体の周縁部に位置する油溶性インキ貯蔵部と、該周縁部の内側部に位置する筒状の水溶性インキ貯蔵部とに分離され、該筒状の水溶性インキ貯蔵部の半径方向の断面積がインキ誘導芯の半径方向の断面積とほぼ同じか大き目であり、かつインキ誘導芯が水溶性インキ貯蔵部に当接又は挿入して設けられており、水溶性インキが該当接又は挿入する水溶性インキ貯蔵部から供給され、油溶性インキが該水溶性インキ供給部よりもペン先側に位置するインキ誘導芯周縁部から供給されることを特徴とする請求項１に記載のマーキングペン。
【請求項３】
インキ貯蔵部が軸筒本体の周縁部に位置する油溶性インキ貯蔵部と、該周縁部の内側部に位置する水溶性インキ貯蔵部とに分離して設けられ、かつインキ誘導芯端部の横断面積が拡大して設けられており、油溶性インキが該拡大部分の端面周縁部から供給され、かつ水溶性インキが該拡大部分の端面周縁部の内側部から供給されることを特徴とする請求項１に記載のマーキングペン。
【請求項４】
ペン先の先端近傍の半径方向の周縁部内側に存在する水溶性インキが、水溶性インキ貯蔵部に挿入されたインキ誘導芯端部又はその端部近傍から供給され、かつペン先の先端近傍の半径方向の周縁部に存在する油溶性インキが、インキ誘導芯端部よりは軸筒本体のペン先側に位置するインキ誘導芯周縁部から供給されることを特徴とする請求項１に記載のマーキングペン。
【請求項５】
インキ貯蔵部が軸筒本体の周縁部に位置する油溶性インキ貯蔵部と、該周縁部の内側部に位置する水溶性インキ貯蔵部とに分離して設けられており、水溶性インキが水溶性インキ貯蔵部に挿入されたインキ誘導芯端部の分岐部から供給され、かつ油溶性インキが油溶性インキ貯蔵部に挿入されたインキ誘導芯端部の分岐部から供給されることを特徴とする請求項１に記載のマーキングペン。
【請求項６】
インキ貯蔵部が軸筒本体のペン先側領域に位置する油溶性インキ貯蔵部と、他端側領域に位置する水溶性インキ貯蔵部とに２段に分離して設けられており、インキ誘導芯が油溶性インキ貯蔵部を貫通して、水溶性インキ貯蔵部に挿入されていることを特徴とする請求項１に記載のマーキングペン。
【請求項７】
インキ誘導芯が多数の繊維状物を収束して自己融着もしくは接着剤により部分的に接着して一体化し、その網目状空隙をインキ流路として形成する繊維体であり、そのペン先の幅が２〜８ｍｍである請求項１乃至６のいずれかに記載のマーキングペン。
【請求項８】
インキ貯蔵部が、インキ吸蔵体にインキを吸蔵させる方式である請求項１乃至７のいずれかに記載のマーキングペン。
【請求項９】
少なくとも水溶性インキと油溶性インキのいずれか一方が蛍光性インキである請求項１乃至８のいずれかに記載のマーキングペン。
【請求項１０】
有機溶媒が１種又は２種の有機溶媒の混合物である請求項１乃至９のいずれかに記載のマーキングペン。
【請求項１１】
マーキングペンが水溶性インキの色彩を、油溶性インキの色彩、及び／又は油溶性インキと水溶性インキの混合した色彩で帯状に縁取りされた色彩の筆跡を連続的に描くことが可能な請求項１乃至１０のいずれかに記載のマーキングペン。
【発明の詳細な説明】
【技術分野】
【０００１】
本発明は、筆記具用多色マーキングペンに関する。
更に詳しくは、水溶性インキ、及び油溶性インキを貯蔵してなり、これらの多色の色が帯状に縁取りされた色彩の筆跡が連続的に現れるマーキングペンに関する。
【背景技術】
【０００２】
従来、筆記具用インキは、安定な単一色相を呈することが必要とされ、筆記具インキに使用される着色剤は、単独あるいは数種の顔料や染料を混合して調色されてきた。
一方、マーキングペンで色の異なる描線を引くために複数のペン先を備えたものも存在する。
例えば、互いに異色のインキを浸透する一対以上のインキ浸透部よりなる浸透部材を軸筒に内装し、該浸透部材の前記インキ浸透部に嵌入したそれぞれのチップの先端を導入して軸筒の先端に並設してなるマーキングペンが開示されている（特許文献１参照）。
縦方向に毛細管現象によりインキを流通させる微小スリットを貫通させた複数個の熱可塑性樹脂の押出成型によって得たペン先単体を、その先端部において相互に密着させて一体化しペン先とし、それぞれのペン先単体の末端部を介在させて一体化したインキ筒の先端部に接触させることを特徴する多色サインペンが開示されている（特許文献２参照）。
【０００３】
また、幅広描線用ペン先部と、幅狭描線用ペン先部とを一直線上の近接した位置に並設し、且つ書くペン先部の先端位置を面一となし、幅広描線用ペン先部と幅狭描線用ペン先部に夫々色の異なるインキを供給せしめることを特徴とするマーキングペン開示されている（特許文献３参照）。
【０００４】
【特許文献１】実開昭５５−２９２３７号公報
【特許文献２】実開昭５６−５０６８７号公報
【特許文献３】特開平１−２５８９９９号公報
【発明の開示】
【発明が解決しようとする課題】
【０００５】
しかし、上記いずれの先行技術も、ペン先の先端でペン先単体を接合しているか、近接した位置に並設されており、構造が複雑で、製造工程も多く、更に筆記する際のペン先の角度により単色となったり、複数の帯状の色の描線となったり、その筆記線が一定しづらいという不都合があった。
本発明は上記課題を解決して、縁取りがされた多色の筆記線を連続的に描くことが可能なマーキングペンを提供することを目的とする。
【課題を解決するための手段】
【０００６】
本発明者らは上記課題を解決するために鋭意検討した結果、マーキングペンのペン先先端近傍の半径方向の周縁部には油溶性インキが主に存在し、かつ該周縁部の内側部には水溶性インキが存在させるようなマーキングとすることにより、安定的に縁取りがされた多色の筆記線を描くことが可能なことを見出し、本発明を完成させた。
【０００７】
すなわち、本発明は、少なくとも軸筒本体の先端から一部突出して設けられたペン先を有するインキ誘導芯と、軸筒本体の内部に配設された水溶性染料を水に溶解した水溶性インキ貯蔵部、及び該水溶性染料とは異なる色相を呈する油溶性染料を水に難溶又は不溶の有機溶媒に溶解した油溶性インキ貯蔵部を有するマーキングペンであって、該ペン先の先端近傍の半径方向の周縁部には油溶性インキが主に存在し、かつ該周縁部の内側部には水溶性インキが存在することを特徴とするマーキングペンに関する発明である。  
【０００８】
本発明においては、更に、
（１）インキ貯蔵部が軸筒本体の周縁部に位置する油溶性インキ貯蔵部と、該周縁部の内側部に位置する筒状の水溶性インキ貯蔵部とに分離され、該筒状の水溶性インキ貯蔵部の半径方向の断面積がインキ誘導芯の半径方向の断面積とほぼ同じか大き目であり、かつインキ誘導芯が水溶性インキ貯蔵部に当接又は挿入して設けられており、水溶性インキが該当接又は挿入する水溶性インキ貯蔵部から供給され、油溶性インキが該水溶性インキ供給部よりもペン先側に位置するインキ誘導芯周縁部から供給されること、
（２）インキ貯蔵部が軸筒本体の周縁部に位置する油溶性インキ貯蔵部と、該周縁部の内側部に位置する水溶性インキ貯蔵部とに分離して設けられ、かつインキ誘導芯端部の横断面積が拡大して設けられており、油溶性インキが該拡大部分の端面周縁部から供給され、かつ水溶性インキが該拡大部分の端面周縁部の内側部から供給されること、
【０００９】
（３）ペン先の先端近傍の半径方向の周縁部内側に存在する水溶性インキが、水溶性インキ貯蔵部に挿入されたインキ誘導芯端部又はその端部近傍から供給され、かつペン先の先端近傍の半径方向の周縁部に存在する油溶性インキが、インキ誘導芯端部よりは軸筒本体のペン先側に位置するインキ誘導芯周縁部から供給されること、
（４）インキ貯蔵部が軸筒本体の周縁部に位置する油溶性インキ貯蔵部と、該周縁部の内側部に位置する水溶性インキ貯蔵部とに分離して設けられており、水溶性インキが水溶性インキ貯蔵部に挿入されたインキ誘導芯端部の分岐部から供給され、かつ油溶性インキが油溶性インキ貯蔵部に挿入されたインキ誘導芯端部の分岐部から供給されること、
（５）インキ貯蔵部が軸筒本体のペン先側領域に位置する油溶性インキ貯蔵部と、他端側領域に位置する水溶性インキ貯蔵部とに２段に分離して設けられており、インキ誘導芯が油溶性インキ貯蔵部を貫通して、水溶性インキ貯蔵部に挿入されていること、
（６）インキ誘導芯が多数の繊維状物を収束して自己融着もしくは接着剤により部分的に接着して一体化し、その網目状空隙をインキ流路として形成する繊維体であり、そのペン先の幅が２〜８ｍｍであること、
【００１０】
（７）インキ貯蔵部が、インキ吸蔵体にインキを吸蔵させる方式であること、
（８）少なくとも水溶性インキと油溶性インキのいずれか一方が蛍光性インキであること、
（９）有機溶媒が１種又は２種の有機溶媒の混合物であること、
（１０）マーキングペンが水溶性インキの色彩を、油溶性インキの色彩、及び／又は油溶性インキと水溶性インキの混合した色彩で帯状に縁取りされた色彩の筆跡を連続的に描くことが可能なこと
が望ましい。
【発明の効果】
【００１１】
本発明のマーキングは、構造が簡単であり、異なる色で縁取りされた帯状の色を連続的に描くことが可能である。
【発明を実施するための最良の形態】
【００１２】
本発明のマーキングペンは、少なくとも軸筒本体の先端から一部突出して設けられたペン先を有するインキ誘導芯と、軸筒本体の内部に配設された水溶性染料を水に溶解した水溶性インキ貯蔵部、及び該水溶性染料とは異なる色相を呈する油溶性染料を水に難溶又は不溶の有機溶媒に溶解した油溶性インキ貯蔵部を有するマーキングペンであって、該ペン先の先端近傍の半径方向の周縁部には油溶性インキが主に存在し、かつ該周縁部の内側部には水溶性インキが存在することを特徴とする。
尚、ペン先の先端近傍の半径方向の周縁部には油溶性インキが主に存在するが、インキ誘導芯の種類、それぞれのインキの表面張力、インキの量等により、油溶性インキ中に水溶性インキが混入してくる場合が生じてくる。
本発明で使用するインキは、水溶性染料を水溶性溶媒に溶解した水溶性インキ、及び該水溶性染料とは異なる色相を呈する油溶性染料を水に難溶又は不溶の有機溶媒に溶解した油溶性インキからなる。
【００１３】
前記水溶性染料としては、水溶性であればとくに制限されるものではないが、一般的に酸性染料、塩基性染料、直接染料等を例示することができる。
尚、水溶性溶媒は、水のみならず、水と水溶性溶媒であるプロピレングリコールとの混合溶媒を使用することができる。
具体的には、オリエント化学（株）製の酸性染料と直接染料に属する水溶性染料として、WATER  YELLOW  １、WATER  YELLOW２、WATER  YELLOW  ６、WATER  ORANGE  18、
WATER  RED  1、WATER  RED  2、WATER  RED  3、WATER  RED  9、WATER  RED  27、
WATER  BROWN  16、WATER  PINK  2、WATER  GREEN  8、WATER  GREEN  15、WATER  
BLUE  3、WATER  BLUE  9、WATER  BLUE  105、WATER  VIOLET  7、WATER  BLACK  31、
WATER  BLACK  100-L、WATER  BLACK  187-LM、WATER  BLACK  R-455、WATER  BLACK  
R-456、WATER  BLACK  R-500、WATER  BLACK  R-510が挙げられる。
【００１４】
その他、酸性染料の例としてC.I.アシッドイエロー（Acid Yellow）  1、C.I.アシッドイエロー  7、C.I.アシッドイエロー  17、C.I.アシッドイエロー  19、C.I.アシッドイエロー  23、C.I.アシッドイエロー  25、C.I.アシッドイエロー  29、C.I.アシッドイエロー  38、C.I.アシッドイエロー  42、C.I.アシッドイエロー  49、C.I.アシッドイエロー  61、C.I.アシッドイエロー  72、C.I.アシッドオレンジ（Acid  Orange）  7、C.I.アシッドレッド（Acid  Red）  1、C.I.アシッドレッド  8、C.I.アシッドレッド  9、C.I.アシッドレッド  13、C.I.アシッドレッド  14、C.I.アシッドレッド  18、C.I.アシッドレッド  26、C.I.アシッドレッド  27、C.I.アシッドレッド  35、C.I.アシッドレッド  37、C.I.アシッドレッド  51、C.I.アシッドレッド  52、C.I.アシッドレッド  57、C.I.アシッドレッド  82、C.I.アシッドレッド  87、C.I.アシッドレッド  92、C.I.アシッドレッド  94、C.I.アシッドレッド  115、C.I.アシッドレッド  129、C.I.アシッドレッド  131、C.I.アシッドバイオレット（Acid  Violet）  7、C.I.アシッドバイオレット  17、C.I.アシッドバイオレット  18、C.I.アシッドブルー（Acid  Blue）  1、C.I.アシッドブルー  7、C.I.アシッドブルー  9、C.I.アシッドブルー  22、C.I.アシッドブルー  23、C.I.アシッドブルー  25、C.I.アシッドブルー  40、C.I.アシッドブルー  41、C.I.アシッドブルー  43、C.I.アシッドブルー  62、C.I.アシッドブルー  74、C.I.アシッドブルー  78、C.I.アシッドブルー  90、C.I.アシッドグリーン（Acid  Green）  3、C.I.アシッドグリーン  7、C.I.アシッドグリーン  9、C.I.アシッドグリーン  16、C.I.アシッドブラウン（Acid  Brown）  39等が挙げられる。
【００１５】
塩基性染料の例としてC.I.ベイシックイエロー（Basic  Yellow）  1、C.I.ベイシックイエロー  2、C.I.ベイシックイエロー  21、C.I.ベイシックイエロー  25、C.I.ベイシックオレンジ（Basic  Orange）  2、C.I.ベイシックオレンジ  14、C.I.ベイシックオレンジ  32、C.I.ベイシックレッド（Basic  Red）  1、C.I.ベイシックレッド  2、C.I.ベイシックレッド  9、C.I.ベイシックレッド  14、C.I.ベイシックバイオレット（Basic  Violet）  3、C.I.ベイシックブルー（Basic  Blue）  1、C.I.ベイシックブルー  9、C.I.ベイシックブラウン（Basic  Brown）12等が挙げられる。
【００１６】
直接染料としてC.I.ダイレクトイエロー（Direct  Yellow）  4、C.I.ダイレクトイエロー  26、C.I.ダイレクトイエロー  44、C.I.ダイレクトイエロー  50、C.I.ダイレクトレッド（Direct  Red）  1、C.I.ダイレクトレッド  4、C.I.ダイレクトレッド  23、C.I.ダイレクトレッド  31、C.I.ダイレクトレッド  37、C.I.ダイレクトレッド  39、C.I.ダイレクトレッド  75、C.I.ダイレクトレッド  80、C.I.ダイレクトレッド  81、C.I.ダイレクトレッド  83、C.I.ダイレクトレッド  225、C.I.ダイレクトレッド  226、C.I.ダイレクトレッド  227、C.I.ダイレクトバイオレット（Direct  Violet）  9、C.I.ダイレクトブルー（Direct  Blue）  1、C.I.ダイレクトブルー  2、C.I.ダイレクトブルー  15、C.I.ダイレクトブルー  71、C.I.ダイレクトブルー  86、C.I.ダイレクトブルー  106、C.I.ダイレクトブルー  119、C.I.ダイレクトグリーン（Direct  Green）  30、C.I.ダイレクトブラック（Direct  Black）  154、C.I.ダイレクトブラック（Direct  Black）  187等が挙げられる。
更に水溶性蛍光染料として、バイエル社製のpyranin、日本化薬（株）製のKayacryl  
Brilliant  flavine  10G-ed、Kayarus  Light  Yellow  F8G、Kayalon  Polyester  
Flrine  GL-SF、Kayacryl  Rhodamine  FB、住友化成（株）製のSumikaron  Byilliant  Flavine S-10Gが例示できる。
本発明において、水溶性インキは蛍光性インキであることが望ましい。
【００１７】
前記油溶性染料として油溶性であれば特に制限されるものではないが、具体的には下記のものが例示できる。
オリエント化学（株）製の油溶性染染料として、
OIL  YELLOW  105、OIL  YELLOW  107、OIL  YELLOW  129、OIL  YELLOW  3G、
OIL  YELLOW  GG-S、OIL  ORANGE  201、OIL  ORANGE  PS、OIL  ORANGE  PR、OIL  
RED  5B、OIL  RED  RR、OIL  RED  OG、OIL  SCARLET  308、OIL  PINK  312、OIL  
BROWN  BB、OIL  BROWN  GR、OIL  BROWN  416、OIL  GREEN  502、OIL  GREEN  BG、
OIL  BLUE613、OIL  BLUE  2N、OIL  BLUE  BOS、OIL  BLACK  HBB、OIL  BLACK  860、
OIL  BLACK  BSなどが挙げられる。
オリエント化学（株）製の他の油溶性染染料として、
VALIFAST  YELLOW  1011、VALIFAST  YELLOW  1151、VALIFAST  YELLOW  3108、VALIFAST
YELLOW  3150、VALIFAST  YELLOW  4120、VALIFAST  ORANGE  2210、VALIFAST  ORANGE
3209、VALIFAST  ORANGE  3210、VALIFAST  RED  1306、VALIFAST  RED  1355、VALIFAST
RED  2303、VALIFAST  RED  3304、VALIFAST  RED  3306、VALIFAST  RED  3311、
VALIFAST  RED  3312、VALIFAST  RED  3320、VALIFAST  PINK  2310Nなどが挙げられる。
また、保土ヶ谷化学（株）製の油溶性染染料として、
Aizen  Spilin  Yellow  GRLH  special、Aizen  Spilin  Yellow  3RH  special、Aizen
Spilin  Orange  GRH  conc.special、Aizen  Spilin  Orange  2RH  special、Aizen  
Spilin  Red  GFH  special、Aizen  Spilin  Red  GRLH  special、Aizen  Spilin  Red
BEH  special、Aizen  Spilin  Violet  RH  special、Aizen  Spilin  Blue  GNH、
Aizen  Spilin  Blue  2BNH、Aizen  Spilin  Green  3GNH  special、Aizen  Spilin  
Black  RLH  special、Aizen  Spilin  Black  BH  special、Aizen  Spilin  Black  MH
specialなどが挙げられる。
本発明において、油溶性インキは、蛍光性インキであることが望ましい。
【００１８】
前記水に難溶又は不溶の有機溶媒としては、単独では水に難溶又は不溶で水と混和せずに相分離するものであることが必要とされる。
一方、有機溶媒が１種又は少なくとも２種以上の有機溶媒の混合物である場合には混合後に水溶性インキと油溶性インキが相分離すればよく、有機溶媒単独では水と相互溶解する溶媒を使用することも可能である。
尚、本発明においては、有機溶媒は１種又は２種が特に望ましい。
有機溶媒としては、イソブタノール、ヘキサノール、オクタノール等の脂肪族アルコール；ベンジルアルコール、２−フェノキシエタノール、クレゾール等の芳香族アルコール；酢酸エチル、酢酸ブチル、酢酸アミル、ノルマル酪酸ノルマルアミル、ネオペンチルポリオール脂肪酸エステル、脂肪酸トリグリセリド等の脂肪酸エステル；アセトン、メチルエチルケトン、メチルイソプロピルケトン、メチルイソブチルケトン、ジイソプロピルケトン等の脂肪族ケトン；トルエン、キシレン、エチルベンゼン等の芳香族炭化水素等が挙げられるがこれらに限定されることはない。
【００１９】
本発明において、水溶性インキと油溶性インキの貯蔵の割合は、インキの発色度、描こうとする筆記線の帯状の形状、または使用時においてペン先の網目状空隙を流れていく水溶性インキと油溶性インキの流量の割合により適宜決定することができる。
一般的に、水溶性インキにより描かれる筆記線の中央部の幅と、油溶性インキにより描かれる筆記線の縁取り幅からは、[水溶性インキ／油溶性インキ]が５〜９５／５〜９５（容積％）、好ましくは５０〜９０／１０〜５０（容積％）程度である。
【００２０】
マーキングペンのインキ貯蔵部は、インキ吸蔵体方式の使用が好ましい。インキ吸蔵体方式は、例えば、ポリエチレンテレフタレート、ポリアクリロニトリル、ポリプロピレン等の繊維をフィルム巻き、コーティング、自己溶着、硬化剤固定、繊維絡み合い等の方式でインキ吸蔵体を形成してインキ貯蔵部内に装着し、インキをこれらの吸蔵体に吸蔵させる方式である。
インキ吸蔵体は、その外側円周部を熱可塑性樹脂、例えばポリエチレン、ポリプロピレン等のシート・フィルム等で覆われている。
【００２１】
本発明のマーキングペンのインキ誘導芯は、多数の繊維状物を収束して自己融着もしくは接着剤により部分的に接着して一体化し、その網目状空隙をインキ流路として形成する繊維体であることが望ましい。
本発明のマーキングペンには繊維体インキ誘導芯を用いることができるが、ペン先の幅により筆記線の縁取り幅が多少異なってくる。
ペン先の幅は、好ましくは２〜８ｍｍ、特に好ましくは３〜６ｍｍである。このようなペン先を用いると筆記線の幅の中に水溶性インキの色が、油溶性インキの色、及び／又は油溶性インキと水溶性インキの混合した色彩で帯状に縁取りされた色彩が現れる。
【００２２】
本発明において、その機構は定かではないが、インキ誘導芯のインキ貯蔵部側端面及びその周辺部から供給された水溶性インキは、主にインキ誘導芯の半径方向の周縁部より内側を流れてペン先の先端部に到達する。
一方、油溶性インキ貯蔵部内に挿入されたインキ誘導芯の分岐部、インキ誘導芯端面の周縁部、又はインキ誘導芯の端面よりはペン先側の周縁部から供給された油溶性インキは、インキ誘導芯の半径方向の周縁部を流れてペン先の先端部に到達する。
【００２３】
次に本願発明のマーキングペンの具体的な使用例を以下に示す。
尚、本願発明のマーキングペンは、これらの態様に何ら限定されるものではない。
図１に示すマーキングペンは、インキ貯蔵部が軸筒本体１の周縁部に位置する油溶性インキ貯蔵部４と、該周縁部の内側部に位置する筒状の水溶性インキ貯蔵部３とに分離され、該筒状の水溶性インキ貯蔵部３の半径方向の断面積がインキ誘導芯２の半径方向の断面積とほぼ同じか大き目であり、かつインキ誘導芯２が水溶性インキ貯蔵部３に当接又は挿入して設けられており、水溶性インキが該当接又は挿入する水溶性インキ貯蔵部３から供給され、油溶性インキが該水溶性インキ供給部よりもペン先側に位置するインキ誘導芯周縁部から供給されるものである。
この場合、軸筒本体１がインキ誘導芯を支持している部分に貫通孔を穿設することにより（図１には図示していない）インキ貯蔵部と外気圧とを等しくすることができる。このことは、以下に示す図２〜４の態様においても共通することである。
【００２４】
図２に示すマーキングペンは、インキ貯蔵部が軸筒本体１の周縁部に位置する油溶性インキ貯蔵部４と、該周縁部の内側部に位置する水溶性インキ貯蔵部３とに分離して設けられ、かつインキ誘導芯端部の横断面積が拡大して設けられており、油溶性インキが該拡大部分の端面５周縁部から供給され、かつ水溶性インキが該拡大部分の端面５周縁部の内側部から供給されるものである。
【００２５】
図３に示すマーキングペンは、インキ貯蔵部が軸筒本体１の周縁部に位置する油溶性インキ貯蔵部４と、該周縁部の内側部に位置する水溶性インキ貯蔵部３とに分離して設けられており、水溶性インキが水溶性インキ貯蔵部３に挿入されたインキ誘導芯端部の分岐部から供給され、かつ油溶性インキが油溶性インキ貯蔵部４に挿入されたインキ誘導芯端部の分岐部から供給されるものである。
【００２６】
図４に示すマーキングペンは、インキ貯蔵部が軸筒本体１のペン先側領域に位置する油溶性インキ貯蔵部４と、他端側領域に位置する水溶性インキ貯蔵部３とに２段に分離して設けられており、インキ誘導芯２が油溶性インキ貯蔵部４を貫通して、水溶性インキ貯蔵部３に挿入されているものである。
水溶性インキは、水溶性インキ貯蔵部３に挿入されたインキ誘導芯先端部分近傍から供給され、油溶性インキは、油溶性インキ貯蔵部４に接しているインキ誘導芯から供給される。
図１〜４に示すいずれのマーキングペンにおいても、構造が簡単であり、水溶性インキの色彩を、油溶性インキの色彩、及び／又は油溶性インキと水溶性インキの混合した色彩で帯状に縁取りされた色彩の筆跡を連続的に描くことが可能である。
以下、実施例、比較例により本発明をより具体的に説明するが、本発明はこれら実施例に何ら限定されるものではない。
【実施例１】
【００２７】
黄色の水溶性染料（バイエル社製、商品名：pyranin）2質量％、蒸留水87.5質量％、プロピレングリコール10.0質量％、NaOH0.1質量％、ベンゾイソチアゾリン系防腐剤0.4質量％からなる水性インキ液を調製した。
青色の油溶性染料（保土ヶ谷化学（株）製、商品名：SPT Blue GLSH）0.9０質量％、２−フェノキシエタノール87.1質量％、ベンジルアルコール12.0質量％からなる油性インキ液を調製した。
次に前記水性インキ液２ｍｌと油性インキ液１ｍｌをそれぞれ図１に示すマーキングペンの、インキ吸蔵体が挿入されている油溶性インキ貯蔵部と水溶性インキ貯蔵部に充填した。
尚、使用したマーキングペンのチーゼル型ペン先幅は５ｍｍであり、インキ誘導芯は、ポリエチレンテレフタレート繊維体より作製されたものである（長さ３０ｍｍ、オーベックス（株）製）。また、インキ吸蔵体はポリエチレンテレフタレート繊維より作製されたものである（水溶性インキ吸蔵体：長さ９６ｍｍ×直径８ｍｍ、油溶性インキ吸蔵体：長さ１００ｍｍ×直径６ｍｍ、（有）佐谷製作所製）。
該マーキングペンを使用すると、筆記線は、黄色が帯状に青色ないし緑色で縁取りされた色を連続的に描くことができた。
【実施例２】
【００２８】
油性インキ液として、赤色の油溶性染料（保土ヶ谷化学（株）製、商品名：Spilon Red C-BH）0.5質量％、ベンジルアルコール99.5質量％からなる油性インキ液を調製した以外は実施例１と同様にしてマーキングペンを作製した。
該マーキングペンを使用すると、筆記線は、帯状に黄色が赤色ないし橙色で縁取りされた色を連続的に描くことができた。
【産業上の利用可能性】
【００２９】
本発明のマーキングペンは広く筆記用具として使用可能である。
【図面の簡単な説明】
【００３０】
【図１】水溶性インキ（水溶性インキ）貯蔵部がインキ誘導芯に当接又は挿入して設けられたマーキングペン。
【図２】インキ誘導芯先端部の横断面積が拡大して設けられたマーキングペン。
【図３】インキ誘導芯に分岐部が設けられたマーキングペン。
【図４】インキ貯蔵部が２段に分離して設けられたマーキングペン。
【図５】マーキングペンの外観図
【符号の説明】
【００３１】
１  軸筒本体
２  インキ誘導芯
３  水溶性インキ貯蔵部
４  油溶性インキ貯蔵部
５  拡大部
６  インキ誘導芯の分岐部
７  キャップ
【図１】
2005088251.tif 000003
【図２】
2005088251.tif 000004
【図３】
2005088251.tif 000005
【図４】
2005088251.tif 000006
【図５】
2005088251.tif 000007